(57)【要約】【課題】照射領域中の虹ムラを抑制することができ、居室内にいる人に違和感を与えることがない採光具を提供する。【解決手段】本発明の採光具１００は、光が入射する第１主面１１と、前記第１主面１１に対向し光が出射する第２主面１２とを有し、前記第１主面１１から入射した光を前記第２主面１２に向けて偏向する光制御部材１０と、２つの主面を有すると共に、一方の主面が平面７１であり、他方の主面が凹凸構造７３である分散抑制部材７０と、からなることを特徴とする。【選択図】      図１
2016070941.tif 000002
【特許請求の範囲】
【請求項１】
光が入射する第１主面と、前記第１主面に対向し光が出射する第２主面とを有し、前記第１主面から入射した光を前記第２主面に向けて偏向する光制御部材と、
２つの主面を有すると共に、一方の主面が平面であり、他方の主面が凹凸構造である分散抑制部材と、からなることを特徴とする採光具。
【請求項２】
前記凹凸構造の傾斜角度が、前記分散抑制部材の平面に対して−Δαから+Δαの範囲で
あるとき、
前記光制御部材から出射した光が、前記分散抑制部材に入射する角度θと、
（ただし、θは、分散抑制部材の法線方向に対する角度。また、θは、空気中換算値。）前記分散抑制部材の屈折率ｎと、
４５０ｎｍの光が前記光制御部材から出射する角度と、６５０ｎｍの光が前記光制御部材から出射する角度との差分Δθと、の間に、
【数１１】
2016070941.tif 000017
の関係を有することを特徴とする請求項１に記載の採光具。
【請求項３】
前記凹凸構造の傾斜角度が、前記分散抑制部材の平面に対して−Δαから+Δαの範囲で
あるとき、
前記分散抑制部材から出射した光が、前記光制御部材に入射する角度θと、
（ただし、θは、光制御部材の法線方向に対する角度。また、θは、空気中換算値。）
前記分散抑制部材の屈折率ｎと、
４５０ｎｍの光が前記分散抑制部材から出射する角度と、６５０ｎｍの光が前記分散抑制部材から出射する角度との差分Δθと、の間に、
【数１１】
2016070941.tif 000018
の関係を有することを特徴とする請求項１に記載の採光具。
【請求項４】
前記光制御部材は、屈折率の異なる媒質同士の界面により光を偏向することを特徴とする請求項１乃至請求項３のいずれか１項に記載の採光具。
【請求項５】
前記光制御部材は、金属反射層により光を偏向することを特徴とする請求項１乃至請求項３のいずれか１項に記載の採光具。
【請求項６】
前記光制御部材は、鉛直上方側に光を偏向することを特徴とする請求項１乃至請求項５のいずれか１項に記載の採光具。
【請求項７】
前記光制御部材は、鉛直下方側に光を偏向することを特徴とする請求項１乃至請求項５のいずれか１項に記載の採光具。
【請求項８】
前記光制御部材が、プリズムを有することを特徴とする請求項１又は請求項２に記載の採
光具。
【請求項９】
前記光制御部材から出射した光が、前記分散抑制部材に入射することを特徴とする請求項１に記載の採光具。
【請求項１０】
前記分散抑制部材から出射した光が、前記光制御部材に入射することを特徴とする請求項１に記載の採光具。
【請求項１１】
前記分散抑制部材を２つ有し、
前記光制御部材の第１主面側と、前記光制御部材の第２主面側との双方に、前記分散抑制部材が配されることを特徴とする請求項１に記載の採光具。
【発明の詳細な説明】
【技術分野】
【０００１】
本発明は、建物等の内部に日光などの外光を取り入れるために用いる採光具に関するものである。
【背景技術】
【０００２】
窓ガラスにより、建物の内部に日光等の外光を取り入れて明るく快適な室内空間を形成することはよく知られている。しかし、一方で当該窓ガラスに入射した外光をそのまま室内に取り入れると、まぶしさを感じたり、光があたる場所が室内の一部のみに限定されたり、といった不具合が生じることがある。これに対して、直接日光を制御して、より快適な態様で室内側に光を採り入れる技術が提案されている。
【０００３】
例えば、特許文献１（特開２０１２−２５５９５１号公報）には、一方向に延在する凹状溝が繰り返し作製され、凹状溝への充填材の充填により、透明シート材への入射光を反射する一方向に延長した反射面が凹状溝の少なくとも一方の斜面に形成され、反射面による反射により、窓を透過した直射太陽光を屋内に導入する技術が開示されている。
【特許文献１】特開２０１２−２５５９５１号公報
【発明の概要】
【発明が解決しようとする課題】
【０００４】
図７は従来の採光具１００の効果を説明する図である。図７（Ａ）は通常の窓部からの太陽光の採り入れを示しており、図７（Ｂ）は窓部に採光具１００を取り付けて、太陽光の採り入れを行った場合を示している。採光具１００を窓部に設けることにより、屋内全体を可能な限り均一に明るくする採光を実現する。
【０００５】
ここで、以下の説明において、各構成の方向及び位置関係などを明瞭にするための座標を定義する。窓部の水平な辺と平行な方向をｘ方向とし、鉛直上方方向をｚ方向とした右手系座標を定義し、以下の説明に用いることとする。本件明細書に添付する図面には、必要に応じて、このような右手系座標が参照のために記されている。
【０００６】
図８は従来の採光具１００の断面構造を模式的に説明する図である。図８は採光具１００をｙｚ面で切ってみた断面図である。なお、本件明細書に添付する図面においては、図示と理解のしやすさの便宜上、縮尺および縦横の寸法比等を、実物のそれらから適宜変更したり、誇張したりすることがある。また、図面の見やすさの観点から、周期的に繰り返す構成については、参照番号を付すことを省略している。
【０００７】
採光具１００の説明をするに先立ち、光制御部材１０について詳述する。図８に示すように、光制御部材１０は、光が入射する第１主面１１と、前記第１主面１１に対向し光が出射する第２主面１２とを有し、前記第１主面１１と前記第２主面１２との間に存在し、前記第１主面１１から入射した光を前記第２主面１２に向けて偏向する複数の低屈折率媒質部１６と、を備える。
【０００８】
光制御部材１０は、典型的には、ｘ方向に延在し、ｚ方向に周期的に設けられる複数の低屈折率媒質部１６と、低屈折率媒質部１６同士を離隔する高屈折率媒質部１５とを備える。この場合、低屈折率媒質部１６と高屈折率媒質部１５との界面が反射面となる。低屈折率媒質部１６は、高屈折率媒質部１５の屈折率に比べて低い屈折率を有する媒質により構成される。例えば、高屈折率媒質部１５が、樹脂である場合、低屈折率媒質部１６は空気あるいは高屈折率媒質部１５を構成する樹脂よりも低い屈折率を有する樹脂を用いるこ
とができる。
【０００９】
第１主面１１に入射した光Ｌ１は、光制御部材１０内に進み、反射面で反射し偏向する。その後、偏向した光Ｌ１は、第１主面１１に対向する第２主面１２から出射し、光制御部材１０外に進む。
【００１０】
なお、第１主面１１に入射した光Ｌ２のように、光制御部材１０内に進み、低屈折率媒質部１６と高屈折率媒質部１５との界面で屈折することで偏向し、第２主面１２から出射し、光制御部材１０外に進む光も存在する。
【００１１】
採光具１００は、光制御部材１０と、前記光制御部材１０の前記第１主面１１側に配置された第１ガラス基材２０と、前記光制御部材の前記第２主面１２側に配置された第２ガラス基材３０と、を有する。
【００１２】
光制御部材１０の第１主面１１と、第１ガラス基材２０との間には、第１ガラス基材２０と光制御部材１０とを接合する第１接合層５０が配置されている。また、光制御部材１０の第２主面１２と、第２ガラス基材３０との間には、第２ガラス基材３０と光制御部材１０とを接合する第２接合層６０が配置されている。第１接合層５０、第２接合層６０には、例えば、公知の接着剤、もしくは粘着剤を用いて形成することができる。
【００１３】
この例では、上記のように、光制御部材１０は、第１ガラス基材２０と第２ガラス基材３０とに挟まれて封止されている。また、典型的には第１ガラス基材２０側が室外に面し、第２ガラス基材３０側が室内に面する。
【００１４】
第１ガラス基材２０、第２ガラス基材３０は、典型的にはガラスであるが、ガラスのみならずアクリル樹脂などの強化プラスチックといった一般的にガラスの如く用いられるものをも包含し、さらにこれらの単層、あるいはこれらが積層されたものを用いることができる。第１ガラス基材２０、第２ガラス基材３０は、一般的な窓材として用いられる程度の透過性を有していればよく、例えば、ヘーズメーター（スガ試験機（株）社製 蛍光分
光光度計 Ｆ−４５００）で測定した全光線透過率が８０％以上であるとよい。また、第
１ガラス基材２０、第２ガラス基材３０の厚みは、特に制限はないが、採光具１００全体として窓材としての強度や取り扱い性を確保できる厚みであることが好ましく、例えば、１ｍｍ〜１０ｍｍであることが好ましい。
【００１５】
以下、これまで発明者が提案してきた上記した従来の採光具１００の問題点を説明する。従来の採光具１００では、天井部や床部の照射領域中に「虹ムラ」が生じるという課題があった。この虹ムラは、窓側から奥壁方向に沿って、赤色と青色の間で変化し、これが居室内にいる人に違和感を与える。
【００１６】
この虹ムラの原因は、主として光制御部材１０の分散（波長による屈折率の分布）である。この「分散効果」は、光制御部材１０を分光機能のあるゴニオメータ等で測定することで得られる。
【００１７】
図９は従来の採光具１００の分散効果の測定方法を説明する図である。この例では、太陽高度３０°（東京の冬至の南中）のときを模して、分散効果を測定している。
【００１８】
本測定においては、波長が４５０ｎｍ、５５０ｎｍ、６５０ｎｍの光を、光制御部材１０に入射させて、出射角度θを９０°から−９０°まで変えながら、受光器を角度移動させながら受光強度を測定することで、波長ごとの角度分布を測定する。測定されたピーク角度が波長により異なる場合がある。なお、角度θは、水平方向が０°で、鉛直上方方向
が+９０°で、θは鉛直下方方向が−９０°であるものと定義している。
【００１９】
波長４５０ｎｍの光と波長６５０ｎｍの光との差分角度を「分散角度幅」と定義し、Δθであらわす。一般に複数の光束が出射されるが、光束ごとに分散角度幅を求め、さらに入射角度を変えたときの一番大きな値を指標として採用する。
【００２０】
図１０は従来の採光具１００の分散効果の測定結果を示す図である。この結果では、太陽高度３０°（東京の冬至の南中）のとき、下向き４７°方向の光束（θ＝―４７°）が、最大の分散角度幅Δθ＝２．５°を有していることが分かった。
【００２１】
分散角度幅がこの程度あると、照明領域に明確な虹ムラが発生し、居室内にいる人に違和感を与える。なお、光制御部材１０の構造や太陽高度により、最大分散角度幅が（床側ではなく）天井側に向かう光束で与えられることもある。
【００２２】
以上、従来の採光具１００においては、天井部や床部の照射領域中に「虹ムラ」が生じ、窓側から奥壁方向に沿って、赤色と青色の間で変化し、これが居室内にいる人に違和感を与える、という課題があった。
【課題を解決するための手段】
【００２３】
本発明は以上のような課題を解決するためのものであり、本発明に係る採光具は、
光が入射する第１主面と、前記第１主面に対向し光が出射する第２主面とを有し、前記第１主面から入射した光を前記第２主面に向けて偏向する光制御部材と、
２つの主面を有すると共に、一方の主面が平面であり、他方の主面が凹凸構造である分散抑制部材と、からなることを特徴とする。
【００２４】
また、本発明に係る採光具は、
前記凹凸構造の傾斜角度が、前記分散抑制部材の平面に対して−Δαから+Δαの範囲で
あるとき、
前記光制御部材から出射した光が、前記分散抑制部材に入射する角度θと、
（ただし、θは、分散抑制部材の法線に対する角度。また、θは、空気中換算値。）
前記分散抑制部材の屈折率ｎと、
４５０ｎｍの光が前記光制御部材から出射する角度と、６５０ｎｍの光が前記光制御部材から出射する角度との差分Δθと、の間に、
【００２５】
【数１１】
2016070941.tif 000003
の関係を有することを特徴とする。
【００２６】
なお、分散抑制部材が地面に対して鉛直に設けられている場合、θは、出射した光が水平方向の場合は０°で、鉛直上方方向の場合は+９０°、鉛直下方方向の場合は−９０°
となる。
【００２７】
また、本発明に係る採光具は、
前記凹凸構造の傾斜角度が、前記分散抑制部材の平面に対して−Δαから+Δαの範囲で
あるとき、
前記分散抑制部材から出射した光が、前記光制御部材に入射する角度θと、
（ただし、θは、光制御部材の法線方向に対する角度。また、θは、空気中換算値。）
前記分散抑制部材の屈折率ｎと、
４５０ｎｍの光が前記分散抑制部材から出射する角度と、６５０ｎｍの光が前記分散抑制部材から出射する角度との差分Δθと、の間に、
【００２８】
【数１１】
2016070941.tif 000004
の関係を有することを特徴とする。
【００２９】
厳密には、角度θや差分Δθは光制御部材の面内位置に応じて変化するが、（１１）にはそれらの平均値を用いればよい。
【００３０】
また、本発明に係る採光具は、
前記光制御部材は、屈折率の異なる媒質同士の界面により光を偏向することを特徴とする。
【００３１】
また、本発明に係る採光具は、
前記光制御部材は、金属反射層により光を偏向することを特徴とする。
【００３２】
また、本発明に係る採光具は、
前記光制御部材は、鉛直上方側に光を偏向することを特徴とする。
【００３３】
また、本発明に係る採光具は、
前記光制御部材は、鉛直下方側に光を偏向することを特徴とする。
【００３４】
また、本発明に係る採光具は、
前記光制御部材が、プリズムを有することを特徴とする。
【００３５】
また、本発明に係る採光具は、
前記分散抑制部材から出射した光が、前記光制御部材に入射することを特徴とする。
【００３６】
また、本発明に係る採光具は、
前記光制御部材から出射した光が、前記分散抑制部材に入射することを特徴とする。
【００３７】
また、本発明に係る採光具は、
前記前記光制御部材から出射した光が、分散抑制部材に入射することを特徴とする。
【００３８】
また、本発明に係る採光具は、
前記分散抑制部材を２つ有し、
前記光制御部材の第１主面側と、前記光制御部材の第２主面側との双方に、前記分散抑制部材が配されることを特徴とする。
【発明の効果】
【００３９】
本発明に係る採光具によれば、光制御部材と共に、２つの主面を有すると共に、一方の主面が平面であり、他方の主面が凹凸構造である分散抑制部材と、を有しているので、照射領域中の「虹ムラ」を抑制することができ、居室内にいる人に違和感を与えることがな
い。
【図面の簡単な説明】
【００４０】
【図１】本発明の実施形態に係る採光具１００の断面構造を模式的に説明する図である。
【図２】本発明の実施形態に係る採光具１００の分散抑制部材７０の凹凸構造７３の微小領域を拡大した模式図である。
【図３】分散抑制部材７０の凹凸構造７３における傾斜角度αの定義を説明する図である。
【図４】分散角度幅Δθと、分散抑制部材７０からの光の出射角φの出射角度幅Δφとの間の関係を示す図である。
【図５】本発明の他の実施形態に係る採光具１００の断面構造を模式的に説明する図である。
【図６】本発明の他の実施形態に係る採光具１００の断面構造を模式的に説明する図である。
【図７】従来の採光具１００の効果を説明する図である。
【図８】従来の採光具１００の断面構造を模式的に説明する図である。
【図９】従来の採光具１００の分散効果の測定方法を説明する図である。
【図１０】従来の採光具１００の分散効果の測定結果を示す図である。
【発明を実施するための形態】
【００４１】
以下、本発明の実施の形態を図面を参照しつつ説明する。図１は本発明の実施形態に係る採光具１００の断面構造を模式的に説明する図である。図１は、図８と同様に、本発明の実施形態に係る採光具１００をｙｚ面で切ってみた断面図である。
【００４２】
本発明の実施形態に係る採光具１００が、従来の採光具１００と異なる点は、第２ガラス基材３０に代えて、分散抑制部材７０が配されている点である。分散抑制部材７０は、２つの主面を有すると共に、一方の主面が平面７１であり、他方の主面が凹凸構造７３である。この分散抑制部材７０の平面７１側が、第２接合層６０により、光制御部材１０の第２主面１２と接合している。
【００４３】
分散抑制部材７０は、典型的にはガラスであるが、ガラスのみならずアクリル樹脂などの強化プラスチックといった一般的にガラスの如く用いられるものをも包含している。
【００４４】
本発明の実施形態に係る採光具１００においては、光制御部材１０は、第１ガラス基材２０と分散抑制部材７０とに挟まれて封止された構造であり、典型的には第１ガラス基材２０側が室外に面し、分散抑制部材７０側が室内に面するレイアウトである。
【００４５】
すなわち、採光具１００においては、光制御部材１０から出射した光が、分散抑制部材７０に入射することが想定されているが、分散抑制部材７０を光制御部材１０の第１主面１１側に配し、分散抑制部材７０から出射した光が、光制御部材１０に入射するレイアウトとすることもできる。さらには、分散抑制部材７０を２つ設け、光制御部材１０の第１主面１１側と、光制御部材１０の第２主面１２側との双方に、分散抑制部材７０を配するようにレイアウトしても良い。
【００４６】
次に、分散抑制部材７０の凹凸構造７３が、どの程度の凹凸を有すれば、光制御部材１０の分散効果を抑制可能であるかについての解析を行う。図２は本発明の実施形態に係る採光具１００の分散抑制部材７０の凹凸構造７３の微小領域を拡大した模式図である。ここで、光制御部材１０と分散抑制部材７０との間に空気層があるものと仮定している。
【００４７】
また、図３は分散抑制部材７０の凹凸構造７３における傾斜角度αの定義を説明する図である。  図３は凹凸構造７３の最大振幅部を切り出してみた断面図である。凹凸構造７３の傾斜角度を、分散抑制部材７０の平面７１に対する角度であるもの定義する。このとき、図３に示すように、凹凸構造７３の傾斜角度αは、分散抑制部材７０の平面７１に対して−Δα［ｄｅｇ］から+Δα［ｄｅｇ］の範囲であるものとする。
【００４８】
また、図２において、
ｎ：分散抑制部材７０の屈折率
α：凹凸構造７３の局所的傾斜角度
θ１：空気中から分散抑制部材７０への光の入射側の進行角
θ２：光制御部材１０中の光の進行角
θ３：光制御部材１０中における凹凸構造７３の傾斜面に対する入射角
θ４：空気中の光の凹凸構造７３の傾斜面に対する出射角
θ５：空気中の光の分散抑制部材７０の出射側の進行角
と定義すると、下式（１）乃至（４）を得ることができる。
【００４９】
【数１】
2016070941.tif 000005
【００５０】
【数２】
2016070941.tif 000006
【００５１】
【数３】
2016070941.tif 000007
【００５２】
【数４】
2016070941.tif 000008
ここで、凹凸構造７３の傾斜角度αの振れ幅Δαと、分散抑制部材７０からの光の出射角φの出射角度幅Δφの関係を求めることとする。ここで、θ５を改めて、φとして定義する。すなわち、式（２）乃至式（４）より、下式（５）を得る。
【００５３】
【数５】
2016070941.tif 000009
また、式（５）を微分することで、下式（６）を得ることができる。
【００５４】
【数６】
2016070941.tif 000010
傾斜角αは０°を中心に対称に分布すると考えα＝０°とすると、式（７）を得る。
【００５５】
【数７】
2016070941.tif 000011
ここで、式（７）に、関係式（１）を代入することで、下式（８）を得ることができる。
【００５６】
【数８】
2016070941.tif 000012
以上より、凹凸構造７３の傾斜角度αの振れ幅Δαと、分散抑制部材７０からの光の出射角φの出射角度幅Δφとの関係式（９）を得ることができる。
【００５７】
【数９】
2016070941.tif 000013
式（９）に基づき、傾斜角度幅Δαを変えた場合における出射角度幅Δφが変わる様子を表１に示す。
【００５８】
【表１】
2016070941.tif 000014
表１から、分散抑制部材７０への入射角θ１＝４７°において（すなわち光制御部材１０からの出射角４７°において）、傾斜角度幅Δα＝±５°のとき出射角度幅Δφは±４．６°となることが分かる。
【００５９】
次に、所謂「虹ムラ」を低減するに必要な出射角度幅Δφを考える。
【００６０】
図４は、分散角度幅Δθと出射角度幅Δφの関係を模式的に示す。実際の波長分布は連続であるが、ここでは、波長４５０ｎｍの光と波長６５０ｎｍの光との差分角度である分散角度幅Δθを、抑制するのに必要な出射角φの出射角度幅Δφについて考察する。
【００６１】
出射角度幅Δφが０であれば、各単色光は異なる特定の角度に出射される。出射角度幅Δφが増えるに従い、各単色光の角度幅は拡大して他の単色光と重なりあい、白色に近くなる。その結果、天井や床での虹ムラは低減する。この効果が出始めるのは、出射角度幅Δφが分散角度幅Δθの２倍と同程度になったときからである。
【００６２】
図４は分散角度幅Δθと、分散抑制部材７０からの光の出射角φの出射角度幅Δφとの間の関係を示す図であり、図４（Ａ）はΔφ＜２Δθの場合における波長４５０ｎｍの光と波長６５０ｎｍの光の重なりの様子を示しており、図４（Ｂ）はΔφ≧２Δθの場合における波長４５０ｎｍの光と波長６５０ｎｍの光の重なりの様子を示している。図４（Ｂ）からは、十分な虹ムラ低減、抑制効果を期待することができる。
【００６３】
以上より、虹ムラ低減、抑制効果のある範囲として、下式（１０）が与えられる。
【００６４】
【数１０】
2016070941.tif 000015
式（１０）に式（９）を代入して、下式（１１）を得ることができる。なお、θ１については、改めてθに置き換えた。
【００６５】
【数１１】
2016070941.tif 000016
上記式（１１）を満足する際に、虹ムラの低減、抑制効果を得ることが可能となる。
【００６６】
なお、θは、光制御部材１０と分散抑制部材７０の間に空気があると想定し、その空気領域での進行角度である。光制御部材１０と分散抑制部材７０を密着させることも可能であり、その場合はθとして空気中に換算した値を用いればよい。
【００６７】
以上、本発明に係る採光具１００によれば、光制御部材１０と共に、２つの主面を有すると共に、一方の主面が平面であり、他方の主面が凹凸構造である分散抑制部材７０と、を有しているので、照射領域中の「虹ムラ」を抑制することができ、居室内にいる人に違和感を与えることがない。
［実施例］
光制御部材１０は図１に示したものを採用した。光制御部材１０からの出射角θ＝−４７°方向の光束は、分散角度幅Δθ＝２．５°の分散を有し、これが床面の虹ムラを発生した。（図１０参照。）
分散抑制部材７０として、比較的凹凸があらいタイプの型板ガラスを用意した。凹凸単位の大きさは５ｍｍで高さは０．２ｍｍ。この凹凸構造７３の傾斜角度幅Δαは約±５°となる。したがって、出射角度幅Δφは式（９）から、９．２°（＝±４．６°）である。
【００６８】
この組み合わせは式（１１）を満たす。
Δφ  ≧  ２Δθ
（９．２°＞２×２．５°）
従ってこの型板ガラスの表面凹凸により、虹ムラが低減されることが期待される。
【００６９】
光制御部材１０単体の場合、太陽高度３０°で採光させたところ床面部に明確な虹ムラが生じた。
【００７０】
この光制御部材１０の出射側に分散抑制部材７０として型板ガラスを接着したところ、この虹ムラはほとんどみられなくなった。同時に、天井への採光は変わらなかった（すなわち採光効率は維持された）。これにより、本発明の効果が確認されるとともに、式（１１）が有効であることを確認された。
【００７１】
次に、本発明の他の実施形態について説明する。図５は本発明の他の実施形態に係る採光具１００の断面構造を模式的に説明する図である。
【００７２】
先の実施形態においては、光制御部材１０は、屈折率の異なる媒質（高屈折率媒質部１５、低屈折率媒質部１６）同士の界面により光を偏向するようにしていたが、本実施形態においては、光制御部材１０は、所定の媒質内に設けられた、複数の金属反射層１７により光を偏向する構成としている。
【００７３】
このような光制御部材１０が用いられた実施形態においても、分散抑制部材７０を用いることで、先の実施形態と同様の効果を享受することができる。
【００７４】
次に、本発明の他の実施形態について説明する。図６は本発明の他の実施形態に係る採
光具１００の断面構造を模式的に説明する図である。光制御部材１０として、プリズム部８０を有するものが用いられている。この光制御部材１０には、これまで説明した実施形態同様に分散抑制部材７０が設けられている。
【００７５】
光制御部材１０及び分散抑制部材７０を通過した光は、内部が鏡面となっている鏡面導光部８５を経て、開口部８７へと導かれるようになっている。このような実施形態によっても、照射領域中の「虹ムラ」を抑制することができ、居室内にいる人に違和感を与えることがない、という効果を期待することができる。
【００７６】
なお、これまで説明した実施形態においては、光の進行方向からみて、光制御部材１０の後に分散抑制部材７０を設ける構造について説明したが、分散抑制部材７０を光制御部材１０の前に設ける構成についても同様の効果（虹ムラの抑制）が実現できる。その場合も式（１１）の条件が同様に有効である。
【符号の説明】
【００７７】
１０・・・光制御部材
１１・・・第１主面
１２・・・第２主面
１５・・・高屈折率媒質部
１６・・・低屈折率媒質部
１７・・・金属反射層
２０・・・第１ガラス基材
３０・・・第２ガラス基材
５０・・・第１接合層
６０・・・第２接合層
７０・・・分散抑制部材
７１・・・平面
７３・・・凹凸構造
８０・・・プリズム部
８５・・・鏡面導光部
８７・・・開口部
１００・・・採光具
【図１】
2016070941.tif 000019
【図２】
2016070941.tif 000020
【図３】
2016070941.tif 000021
【図４】
2016070941.tif 000022
【図５】
2016070941.tif 000023
【図６】
2016070941.tif 000024
【図７】
2016070941.tif 000025
【図８】
2016070941.tif 000026
【図９】
2016070941.tif 000027
【図１０】
2016070941.tif 000028